(57)【要約】【課題】  回動式ハンドル付きスーツケースを提供する。【解決手段】  回動式ハンドルを有するスーツケースが、該スーツケースの２つのシェルと、該スーツケースのキャスタ１０と、２つのシェルのうちの一方のシェルの側面上端部及び側面下端部の辺縁に沿って延在するように設けられた２つの回動式ハンドル５であって、各回動式ハンドル５の両端部が回転可能に軸支されている、２つの回動式ハンドル５と、を備え、上記２つの回動式ハンドル５は、互いに遠ざかる方向へ向かって付勢されていることを特徴とする。【選択図】  図１
0003203641.tif 000002
【実用新案登録請求の範囲】
【請求項１】
回動式ハンドル付きのスーツケースにおいて、
該スーツケースの２つのシェルと、
該スーツケースの複数のキャスタと、
上記２つのシェルのうちの一方のシェルの側面上端部及び側面下端部のそれぞれの辺縁に沿って延在するように設けられた２つの回動式ハンドルであって、各回動式ハンドルの両端部が回転可能に軸支されている、２つの回動式ハンドルと、
を備え、
上記２つの回動式ハンドルは、互いに遠ざかる方向へ向かって回動するように付勢されていることを特徴とする回動式ハンドル付きのスーツケース。
【請求項２】
該スーツケースの使用者が上記回動式ハンドルを握ることができるように、上記一方のシェルの一部が内方へ窪んでいることを特徴とする請求項１に記載の回動式ハンドル付きのスーツケース。
【考案の詳細な説明】
【技術分野】
【０００１】
本考案は、スーツケースに関し、詳しくは、使用者が該スーツケースを高所へ持ち上げる際などに両手で握ることができる２つの回動式ハンドルが設けられたスーツケースに関する。
【背景技術】
【０００２】
スーツケースは、長期の旅行や出張の際に利用される機会が増えている。スーツケースは、概して、蓋側シェル及び身側シェル、スーツケースを牽引する際に使用されるキャリーハンドル、該キャリーハンドルを牽いて歩く際に動くキャスタ、手提げハンドル（把持部）、並びに底足（グライド）等から構成されている。
【０００３】
スーツケースの使用者が列車の座席上方にある網棚などの高所へスーツケースを持ち上げる際に両手で掴むことができる固定ハンドルが、スーツケースのシェルの側面上端部と側面下端部と設けられているものは、従来品にもある（特許文献１）。
【０００４】
しかし、使用者が両手で掴むことのできる２つのハンドルが適宜に回動できるようにスーツケースに設けられていれば、掴み易い把持部であると考えられる。
【先行技術文献】
【特許文献】
【０００５】
【特許文献１】実用新案登録第３１９２８７５号公報
【考案の概要】
【考案が解決しようとする課題】
【０００６】
本考案は、スーツケースを高所へ持ち上げる際などに、該スーツケースの使用者が両手で掴むことのできる２つの回動式ハンドルが設けられたスーツケースを提供することを目的とする。
【課題を解決するための手段】
【０００７】
本考案の回動式ハンドル付きのスーツケースは、該スーツケースの２つのシェルと、該スーツケースの複数のキャスタと、２つのシェルのうちの一方のシェルの側面上端部及び側面下端部のそれぞれの辺縁に沿って延在するように設けられた２つの回動式ハンドルであって、各回動式ハンドルの両端部が回転可能に軸支されている、２つの回動式ハンドルと、を備え、２つの回動式ハンドルは、互いに遠ざかる方向へ向かって回動するように付勢されていることを特徴とする。
【０００８】
一実施例においては、２つの回動式ハンドルが互いに近づく方向は、回動式ハンドルの各々が該スーツケースのシェルから遠ざかる方向と一致する（図１参照）。
【０００９】
一実施例においては、スーツケースの使用者が回動式ハンドルを握ることができるように、上記一方のシェルの一部が内方へ窪んでいるとよい。
【考案の効果】
【００１０】
本考案のスーツケースによれば、使用者が該スーツケースの回動式ハンドルを回動させて使用した後に該回動式ハンドルから手を離すと、付勢力で元の位置へ戻り、スーツケースのシェルに形成された凹所に収まる。よって、スーツケースを牽いて歩くときに、回動式ハンドルが外部の物と衝突するリスクが低減される。
【図面の簡単な説明】
【００１１】
【図１】本考案のスーツケースの一実施例を示す斜視図。
【図２】キャスタ設置面の側から見たスーツケースの斜視図。
【図３】スーツケースの平面図。
【図４】スーツケースの底面図。
【図５】回動式ハンドルの構造例を一部断面で示す図。
【図６】回動式ハンドルの動作を示す図。
【図７】キャリーハンドルが伸長した状態を示すスーツケースの一側面図。
【考案を実施するための形態】
【００１２】
本考案のスーツケースについて添付の図を参照しつつ以下に詳細に説明する。本願におけるスーツケースは、キャリーケース等の旅行用鞄を含むものとする。本考案の一実施例におけるスーツケースは、スーツケース１を構成する蓋側シェル２と身側シェル３とを開閉する際の開閉具としてファスナ８が使用されている。
【００１３】
図１に示されるように、本考案の一実施例においては、スーツケース１の蓋側シェル２と身側シェル３のうちの蓋側シェル２の側面上端部及び側面下端部のそれぞれに水平方向に延在する回動式ハンドルが設けられている。この回動式ハンドル５は、付勢手段からの付勢力を受けて回動し、凹所６に収容されるように構成されている。一実施例においては、凹所６内に収容された回動式ハンドルは、シェル２の表面に近接し、それ以上は回動することはできないように構成されている。
【００１４】
一実施例においては、蓋側シェル２に形成された凹所６内に、回動式ハンドル５が設置されている。図１において、矢印Ａは、回動式ハンドル５を使用する際に、軸支された回動式ハンドル５が回動する方向を示している。
【００１５】
図２は、キャスタ１０が配設されている面の側から見た本考案のスーツケース１の斜視図である。
【００１６】
図３はスーツケースの平面図である。図３において、回動式ハンドル５は、凹所６内に収容されている。
【００１７】
図４はスーツケースの底面図である。図４においても、回動式ハンドル５は、凹所６内に収容されている。
【００１８】
一実施例においては、回動式ハンドル５が設けられた蓋側シェル２の凹所６は、回動式ハンドル５のグリップ部５ａを収容できる程度に窪んでおり、好ましくは、使用者が回動式ハンドル５のグリップ部５ａを握ることができる程度に蓋側シェル２の一部が窪んでいるとよい。
【００１９】
図５は、コ字形の形状に形成された回動式ハンドル５が、回転軸４ｂを介して矢印Ｂの方向へ回動することができるように、軸受部４ｃに回転可能に軸支されている構造を一部断面で示している。図５に示される構造は、使用者が回動式ハンドル５から手を離すのと同時に該ハンドル５が付勢力を受けて回動するように、回動式ハンドル５が付勢手段によって凹所６へ向かって付勢されているとよい。
【００２０】
回動式ハンドル５を凹所６へ向けて付勢する付勢手段の一例としては、バネ４ａがある。適切なバネ４ａとしては、薄板バネ、線細工バネ、及びコイルバネ等を用いるとよい。バネの素材については、例えば、錆に強いステンレス製のバネを用いるとよい。また、回動式ハンドル５を凹所６まで緩やかに回動させる為には、例えば回転ダンパに回転軸４ｂの回転を直接又は間接的に伝達できるとよい。
【００２１】
図６は、スーツケース１のシェルの側面上端部の辺縁に沿って延在するように設けられた回動式ハンドル５が使用される際に、矢印Ｃで示されているように、該スーツケース１の下方へ向かうように回動する動作を拡大して示している。他方で、スーツケース１のシェルの側面下端部の辺縁に沿って延在するように設けられた回動式ハンドル５は、該スーツケース１の上方へ向かうように回動し得る（図１も参照されたい）。
【００２２】
図６（ａ）は、バネ４ａの付勢力を受けて凹所６内に収容されているときの回動式ハンドル５を示している。図６（ｂ）は、スーツケースの使用者がバネ４ａの付勢力に抗して回動式ハンドル５を回動させた後を示している。スーツケースの使用者が回動ハンドル５のグリップ部５ａを握ることができるように、該スーツケース１のシェル２の一部が内方へ窪んでいるとよい（図１も参照されたい）。
【００２３】
図７は、伸長された状態のキャリーハンドル７を有するスーツケースを示す。
【００２４】
回動式ハンドル５の素材については、一実施例においては、グリップ部５ａの外側が接触や衝突に強い樹脂や金属でつくられている一方で、グリップ部５ａの内側は、使用者が握り易い弾性や柔軟性を有する素材でつくられているとよい。他の実施例においては、グリップ部５ａの内側と外側が同じ素材で一体に形成されている場合もあり得る。
【符号の説明】
【００２５】
１…スーツケースの本体
２…蓋側シェル
３…身側シェル
４ａ…バネ
４ｂ…回転軸
４ｃ…軸受部
５…回動式ハンドル
５ａ…（回動式ハンドルの）グリップ部
６…凹所
７…キャリーハンドル
８…ファスナ
９…手提げハンドル（把持部）
１０…キャスタ
【図１】
0003203641.tif 000003
【図２】
0003203641.tif 000004
【図３】
0003203641.tif 000005
【図４】
0003203641.tif 000006
【図５】
0003203641.tif 000007
【図６】
0003203641.tif 000008
【図７】
0003203641.tif 000009